(57)【要約】【課題】男性器の包皮を根本にたぐり寄せ、包皮の動きを制限する装置と、男性器を伸長する陰茎牽引装置とを兼ね備える事を特徴とすると共に、軽量、安価、安全で、取り扱いが簡便な装置の提供と、その有効な使用方法。【課題手段】人体に無害、軽量で伸縮性のあるゴムチューブの両端に、着脱可能な連結器を取り付けてループ状にした後、更にループＡ、Ｂに２連分割して、ループＡを体に巻き、ループＢを、男性器の根本に引っ掛ければ、包皮が固定し、包皮の動きが制限できる。また、ループＢを亀頭に、ループＡを足の裏に引っ掛けて引っ張れば、陰茎を牽引する陰茎伸長装置として使用できる。更に、亀頭を確実に掴んで引っ張れるよう、亀頭ホルダーを装着したり、牽引力を測る簡易牽引力測定器とを組み合わせたりできる。【選択図】    図１
2007044457.tif 000002
【特許請求の範囲】
【請求項１】
伸縮性のある長さ２ｍ位のチューブ（１）の両端を、連結器（２）で結合してループ状にし、それを更に、連結器のある方のループＡ（５）と連結器の無い方のループＢ（６）になるように、ループ位置留め具（３）で仕切った∞状の形状を特徴とした、男性器の包皮を陰茎の根本にたぐり寄せて固定する装置、兼、陰茎を牽引する装置。
【請求項２】
(請求項１)の装置の内、連結器の付いているループＡ（５）の方を体に巻き付け、片方のループＢ（６）を、陰茎（７）に引っ掛けるように仮装着してから、包皮を根本にたぐり寄せ（９）、その包皮の上をループＢ（６）で押さえ、固定装着することで、包皮が戻らなくなり、その結果、包茎矯正器具又は、性具として使用することを特徴とする男性器の包皮を陰茎の根本にたぐり寄せて固定する装置、兼、陰茎を牽引する装置。
【請求項３】
(請求項１)の装置の内、ループＢ（６）を陰茎（７）の亀頭（１０）の溝に引っ掛け、それが外れないように亀頭固定用留め具（４）で絞り込んで固定してから、ループＡ（５）を足（１１）の裏に引っ掛け、牽引して、陰茎の伸長装置として使用することを特徴とする、男性器の包皮を陰茎の根本にたぐり寄せて固定する装置、兼、陰茎を牽引する装置。
【請求項４】
亀頭を乗せる亀頭枕部（１３）を有した形状の亀頭ホルダー台座（１４）に、亀頭環状溝に沿って締め付ける亀頭固定チューブ（１５）を取り付け、その両端を、亀頭ホルダー台座に貫通させ、台座の裏側で亀頭固定チューブ端（１８）を亀頭固定チューブ留め（１７）固定できる構造の亀頭ホルダーと、(請求項１)の器具とを、連結チューブ通し穴（１６）で連結して牽引し、陰茎の伸長装置として使用することを特徴とする男性器の包皮を陰茎の根本にたぐり寄せて固定する装置、兼、陰茎を牽引する装置。
【請求項５】
(請求項１)の装置の内、陰茎牽引装置として使用する際、陰茎の牽引力を測定出来るように、バネばかりの原理を応用した、簡易型牽引力測定器（１９）を、連結チューブ（２１）の途中に装着する事を特徴とした男性器の包皮を陰茎の根本にたぐり寄せて固定する装置、兼、陰茎を牽引する装置。
【発明の詳細な説明】
【技術分野】
【０００１】  本発明は、男性器の、勃起時又は弛緩時において、余った包皮を陰茎の根本にたぐり寄せ、包皮の動きを制限する装置と、陰茎を牽引する装置とが、一つの装置で実現出来るその装置の、構造と使用方法に関する技術分野である。
【背景技術】
【０００２】  日本人男性の半数以上が仮性包茎と言われるものの、それ自体が病気でも異常でも無いとされているため、特に支障も無く日常生活を営んでいる。しかしながら、男性のシンボルとされる男性器のサイズや形状は個人差がある為、日本特有の全裸で入浴する習慣上、他人と入浴する場合、他人のシンボルが目につき、無意識の内に比較してしまう。そして、コンプレックスを感じた人が、仮性包茎を解消する方法や、サイズアップを意識している背景がある。【０００３】  仮性包茎解消については、割礼の習慣の無い日本では、手術や、仮性包茎矯正器具等が先行技術として複数件あり、リング型の仮性包茎矯正器具は、取り扱いが簡便な反面、使用中に外れたり、勃起時に違和感があったりした。また、自分のサイズを大きくしようとして、誰に聞くとはなしに、自分の手で引っぱったり、オモリをぶら下げたりする方法等で、試みていた。一方近年、陰茎を牽引する装置が開発されているが、その装置は高価で、かさばり、取り扱いも面倒で、装置を装着して生活するには、不自由があった。【０００４】  また、余分な包皮が多いと、性生活面において、包皮が陰茎の動きに連動しないため、様々な弊害が生じている。例えば、性行為時、コンドームを装着した場合、最初は、亀頭や陰茎に密着して装着しても、ピストン運動を繰り返すうちに、陰茎に包皮が連動しないため、コンドームがずれてしまい、行為の最中に外れたり、違和感があったり、性感が損なわれたりしていた。【特許文献】日本特許  第３２９５８１５号
【発明の開示】
【発明が解決しようとする課題】
【０００５】  男性器のサイズには、陰茎のサイズ、亀頭のサイズ、そして、勃起時と、非勃起時の膨張度合いや、亀頭の形状等に著しく個人差があり、それらに対応でき、簡易に陰茎を牽引する装置と、その装置で包皮をたぐり寄せ、固定できる事等を兼ね備え、軽量で、安価で、取り扱いが簡便な装置の提供と、その効果的な使用方法を課題とした。
【課題を解決する為の手段】
【０００６】  課題解決のための手段として、肌に直に接触しても害は無く、伸縮性のある、天然ゴムまたは、合成樹脂系ゴムで、中空のチューブ状の素材を使用すれば、予期せぬ勃起や、弛緩時に対応できる。  また、チューブ型にすることで、包皮を根本にまとめ、それを適宜の圧力で押さえ固定することができ、更に、性行為時に男女双方に違和感が軽減される。そして、連結器には、ブラスチックバックル等の留め具を用いることで、着脱を容易にした。牽引する場合に、亀頭を引っ張るが、亀頭の形状によっては、チューブが引っ掛かりにくい場合もあるので、亀頭ホルダーを使用すれば解決する。
【発明の効果】
【０００７】本発明は、最初調整する時、ループ位置留め具を使用する事で、ループＡとループＢの大きさを自由に決めて調整できるので、完全なフリーサイズになる。以下、本装置の効果を記載する。  まず、男性器の包皮を陰茎の根本にたぐり寄せて固定する装置として使用する場合は、包皮をまとめてチューブで押さえ固定することで、包皮が陰茎の根本に引っ張られている状態が保てるため、装着時は常時、亀頭が露出しているので、包茎矯正用として使用できる。そして、この場合、装置を直接、ペニスに装着しないため、違和感が無い。又、ループの一部を体に巻き付けている為、装置時の脱落が無い。
【０００８】包皮が陰茎の根本に引っ張られている状態が保て、包皮が陰茎と連動するため、コンドームを装着して性交する時、コンドームの位置が、ずれる事が少なくなり、途中で外れなくなる。  更に、ピストン運動中、男性は、膣との摩擦を敏感に感じるようになると同時に、コンドームの位置が移動しないため、男女共、性感を損なう事が少なくなる。また、チューブで陰茎を押さえるため、血液の逆流を制御でき、勃起力を持続できる。
【０００９】陰茎を牽引する装置として使用する場合の効果は、現在、先行技術として製品化されている陰茎牽引装置より軽量、安価で提供でき、使用方法も簡易である。  また、ある学説に基づく牽引力を測定するには、簡易牽引力計測器を取り付ける事で計測できるので、陰茎を伸長するのに有効とされる牽引力７００グラム〜１２００グラムを体感できる。また、牽引する事で、湾曲した陰茎を、真っ直ぐな陰茎に矯正できる。
【発明を実施する為の最良の形態】
【００１０】
【００１１】一本の伸縮性のあるチューブをループ状にし、ループＡとループＢに２分割する事により、それぞれのループが複数の役割が担え、最小の部品で包皮を陰茎の根本にたぐり寄せて固定する装置と、陰茎を牽引する装置が実現できた。
【実施例】
【００１２】発明の実施形態を図面に基づいて説明する。  図１は、本装置の基本構造図である。２ｍ位のチューブ（１）の両端に連結器（２）を取り付けてループ状にし、更に、腰の位置に固定するループＡ（６）と、男性器（７）に装着するループＢ（７）とをループ位置留め具（３）で仕切った構造になっていて、連結器（２）には、小型のプラスチックバックルを使用した一例である。【００１３】  図２は、本装置を包皮たぐり寄せ装置として、使用した具体例である。具体的な、使用方法は、位置留め（３）が、尾てい骨の上に来るようにして、ループＡ（５）を腰に巻き、連結器（２）を止める。そして、垂れ下がったループＢ（６）を、後ろから股の下を通し男性器の方に引っ張ってくる。  それから、ループＢ（３）に、男性器全体を通し、ループの頂点を上に引っ張りながら、男性器の根本に装着する。最後に、男性器並びに、陰嚢をループＢの外側に引き出す。この装置は、勃起時でも、弛緩時でも装着できる、いずれの場合でも、たるんだ、包皮を根本にたぐり寄せ、ループＢの内側に固定する。【００１４】  図３は、就寝時等に仰向けになって、陰茎を牽引しているときの一例である。ループＢに亀頭（９）を差し込み、亀頭環状溝に沿って装着し、チューブを引っ張ってもループＢが、外れないように、亀頭固定具（４）で締める。ループＡ（６）に、左右いずれかの足を差し込み、足の裏にループＡ（６）を引っ掛け、足を伸ばせば、設定した牽引力で引っ張れる。【００１５】  図４は、ループＡを膝サポーター式の固定具に留めて使用している様子の一例である。使用方法は前述と同様であるが、この状態で、ズボンをはけば、他人に気付がれず、普段の生活でも牽引できる。【００１６】  図５は、亀頭ホルダーの概略図である。亀頭ホルダー台座（１４）の中に、連結チューブ通し穴（１６）の方向が盛り上がった形状の亀頭枕（１３）を有し、付属の亀頭固定チューブ（１５）の両端を貫通さす穴があり、貫通した（１５）を、亀頭固定チューブ留め（１７）で、固定出来るような構造になっている。そして、この構造で図６に記述の通りの効果が望める。【００１７】  図６は、亀頭ホルダーに亀頭を装着し、牽引力測定器を連結した一例の概略図である。亀頭ホルダーの亀頭枕（１３）に亀頭（１０）を乗せ、亀頭固定チューブ（１５）で締めると、枕（１３）が有るため、亀頭が鎌首を持ち上げた格好で固定する。  その為、連結チューブ穴（１６）に連結チューブ（２１）又は、ループＢ（６）を通して牽引しても、亀頭固定チューブ（１５）が滑りにくくなるため、ホルダーを引っ張っても亀頭が外れにくい。【００１８】  また、この図では、バネばかりを応用した簡易型牽引力計測器（１９）を付けて、目盛り（２０）で牽引力を知る事ができ、伸長するのに有効な力とされる７００グラム〜１２００グラムで引っ張ることが可能となる。
【産業上の利用可能性】
【００１９】  コンドームを装着しても違和感を軽減することができるので、コンドーム使用促進につながり、ひいては、性病の感染予防、望まぬ妊娠の回避として利用できる。
【図面の簡単な説明】
【００２０】
【図１】本装置の基本構造概略図である。
【図２】本装置を男性器に装着した様子を側面から透視した概略図である。
【図３】仰向けで本装置を陰茎牽引用として使用している様子の概略図である。
【図４】本装置と膝サポーターを組み合わせた牽引装置の概略図である。
【図５】亀頭ホルダーの概略図である。
【図６】亀頭ホルダーと簡易型牽引力測定器とを連結した概略図である。
【符号の説明】
【００２１】１    チューブ２    連結器３    ループ位置留め具４    亀頭固定用留め具５    ループＡ部６    ループＢ部７    陰茎８    陰嚢９    たぐり寄せた包皮１０  亀頭１１  足１２  膝サポーター１３  亀頭枕１４  亀頭ホルダー台座１５  亀頭固定チューブ１６  連結チューブ通し穴１７  亀頭固定チューブ留め１８  亀頭固定チューブ端１９  簡易型牽引力測定器２０  牽引力目盛り２１  連結チューブ
【図１】
2007044457.tif 000003
【図２】
2007044457.tif 000004
【図３】
2007044457.tif 000005
【図４】
2007044457.tif 000006
【図５】
2007044457.tif 000007
【図６】
2007044457.tif 000008